(57)【要約】【課題】  送電線に設置可能な送電線用の害鳥忌避用具を提供する。【解決手段】  害鳥忌避用具１０は、連続して張設された送電線５３の中間部を把持するロック機構付きのクランプ部材１１を有する。クランプ部材１１には、高弾性材料からなる細線条１２を介してセラミックス製風受け部材１３が取り付けられており、セラミックス製風受け部材１３は、自然風を受けて細線条１２をばね要素としてマイナスイオンを放散しながら揺らぎ動作する。セラミックス製風受け部材１３の挙動とマイナスイオンによって異質化された雰囲気とによって送電線５３に飛来するカラス等を忌避する。【選択図】  図１
2006166887.tif 000002
【特許請求の範囲】
【請求項１】
連続して張設された送電線の中間部を把持するクランプ部材と、基端部を該クランプ部材に固定する複数本の細線条と、該細線条の少なくとも先端部に取り付けるセラミックス製風受け部材とからなり、
前記クランプ部材は、送電線を把持した際のクランプ姿勢を維持するロック機構を有し、前記細線条は高弾性材料から細線材として形成され、前記セラミックス製風受け部材はマイナスイオン放射性を有するとともに、自然風を受けて前記細線条をばね要素として揺らぎ動作することを特徴とする送電線用の害鳥忌避用具。
【請求項２】
前記クランプ部材は、送電線を受け入れる開口部に連続して形成する内孔を有し、前記ロック機構は、送電線を収納したクランプ部材の内孔を閉じる向きに変形させるねじ締め機構であることを特徴とする請求項１に記載の送電線用の害鳥忌避用具。
【請求項３】
連続して張設された送電線の中間部を把持するクランプ部材と、基端部を該クランプ部材に固定する複数本の細線条と、該細線条の少なくとも先端部に取り付けるセラミックス製風受け部材とからなり、
前記クランプ部材は、送電線を挟み込む一対の挟持片からなり、該一対の挟持片は、該一対の挟持片を閉じる向きに付勢するばね部材を介して開閉自在に組み合わされるとともに、ばね部材に抗して開く向きに手動操作可能な操作部を備えることを特徴とする送電線用の害鳥忌避用具。
【請求項４】
前記セラミックス製風受け部材が、シリカを高温焼成してなる微粉末を多孔質の中実形状に成形してなることを特徴とする請求項１ないし請求項３のいずれが１項に記載の送電線用の害鳥忌避用具。
【請求項５】
前記クランプ部材は、内側に絶縁性のクッションライナを備え、該クッションライナを介して送電線をクランプすることを特徴とする請求項１ないし請求項４のいずれか１項に記載の送電線用の害鳥忌避用具。
【発明の詳細な説明】
【技術分野】
【０００１】  本発明は、自然風によって特異な揺らぎ動作をしながら周囲にマイナスイオンを放散することによって、視覚的な嚇し効果とマイナスイオンを含む異質雰囲気による警戒心高揚効果との相乗効果によって、カラスの飛来を忌避するようにした送電線用の害鳥忌避用具に関する。
【背景技術】
【０００２】  雑食性の食性と高度な知能によって、生活圏を市街地に拡大した鳥類としてカラスが挙げられる。カラスは、体躯中型の留鳥であり、一定量の樹木が存在する公園等をねぐらとして選定し、ねぐらを中心とする所定範囲の行動圏内を日々一定の日周活動をしているように見受けられる。そして、このことによって、カラスが飛来する地区と飛来しない地区との間に顕著な差違が生じている。【０００３】  市街地に適応したカラスの繁殖活動は、極めて順調であり、その数の累増は、市街地に新しい鳥害を及ぼしていることは周知の事実である。市街地における鳥害の主なるものは、２〜３羽ないし５〜６羽単位の活動による各所の生ゴミの散乱被害であるが、カラスが大集団で飛来するカラスの営巣地近辺や、カラスの日周活動における一時休憩地においては、糞害や鳴き声による騒音被害も無視し得ない情況となっている。また、このようなカラスの大飛来地における行動の特徴としては、カラスが電柱に営巣したり送電線に止まるということを挙げることができる。【０００４】  すなわち、カラスが電柱に営巣するのは、カラスの数の累増により、営巣地における営巣場所の獲得競争が激化し、この競争に敗退したカラスが営巣地近傍の電柱に巣を掛けるようになったものと考えられる。また、カラスが送電線に止まるのは、営巣時期においてカラスの警戒心が著しく高まることにより、巣から遠くない場所に羽を休めるための行動であろうと考えられる。なお、適当な巣材に乏しい市街地におけるカラスは、巣材として金属製のハンガ等を使用することがあり、このため電柱における営巣は、短絡事故または火災発生の危険をはらんでいる。また、殆どの場合、送電線は、歩道に沿って架設されており、カラスが頻繁に飛来する送電線下の歩道は、糞害によって嫌悪すべき惨状を呈することとなる。【０００５】  従来よりカラスを主たる忌避対象とする様々な防鳥用具が考案され、市場に提供されている。文献に著わされているものとしては、例えば、次のようなものがある。
【特許文献１】  特開２００２−８４９６０号公報
【特許文献２】  特開２００４−６５２３３号公報
【特許文献３】  特開２００４−１８７６８１号公報
【０００６】  従来の防鳥用具においてカラス等の害鳥を忌避するために採用されている考え方は、例えば、防鳥糸や防鳥ネットのようにカラス等を実力的に阻止しようとする考え方に基づくもの（特許文献１参照）と、太陽光線の反射光によってカラス等を嚇そうとする考え方に基づくもの（特許文献２，特許文献３参照）と、不可解な形態と動きによってカラス等の警戒心を煽ろうとするもの（特許文献２，特許文献３参照）との３種類に大別することができる。ただし、１種類の考え方のみで構成されている防鳥用具は、まれであって、実際の製品には、２種類以上の考え方が併用されているのが実情である。【０００７】  その他、特殊なものとしては、銃砲の発射音に似せた暴爆音を定期的に発することによってカラス等を嚇すようにした大規模な防鳥装置や、見せしめ効果を企図したカラスの擬似死体が知られている。
【発明の開示】
【発明が解決しようとする課題】
【０００８】  上記した従来の防鳥用具は、それぞれ、一長一短を伴なって普及し、次々と新しい製品も提供されている。しかし、送電線に設置可能なものは、現時点では提供されておらず、電柱に対する営巣は、送電設備の管理者において定期的に巡回パトロールして対応している。また、歩道の糞害の原因となる送電線に対するカラスの飛来は、諦観をもって放置されているのが現状である。【０００９】  本発明は、鳥類が種の属性として、環境雰囲気に極めて鋭敏な感覚を有することに着目し、カラス等の害鳥を忌避しようとする場所付近の空気雰囲気をマイナスイオン化するという考え方、および、自然風による特異な揺らぎ動作によってカラスの警戒心を高揚させるという考え方を採用するとともに、送電線に対する設置の容易性に配慮した送電線用の害鳥忌避用具を提供することを目的とする。
【課題を解決するための手段】
【００１０】  この目的を達成するための手段として、本発明は、次のような構成を採用する。【００１１】  本発明の請求項１に記載の送電線用の害鳥忌避用具は、連続して張設された送電線の中間部を把持するクランプ部材と、基端部をクランプ部材に固定する複数本の細線条と、細線条の少なくとも先端部に取り付けるセラミックス製風受け部材とからなり、クランプ部材は、送電線を把持した際のクランプ姿勢を維持するロック機構を有し、細線条は高弾性材料から細線材として形成され、セラミックス製風受け部材はマイナスイオン放射性を有するとともに、自然風を受けて細線条をばね要素として揺らぎ動作することを特徴とする。【００１２】  上記構成に係る害鳥忌避用具は、クランプ部材を介して既設の送電線の中間部をクランプする態様でその任意の位置に取り付け、ロック機構を利用して姿勢変化不能にロックすることができる。害鳥忌避用具のセラミックス製風受け部材は、細線条を介してクランプ部材に取り付けられており、取り付けられた位置において風を受ける。この際、クランプ部材自体が姿勢変化することがないので、風を受けたセラミックス製風受け部材は細線条を撓らせる。風が止むと細線条は、その弾性回復力により原状に復帰しようとするため、セラミックス製風受け部材を重みとして所定周期の共振系を形成し、所定時間の減衰振動を継続する。この結果、セラミックス製風受け部材は、減衰振動による不可解な揺らぎ動作をしながら周囲の空気を攪拌し、マイナスイオンを放散する。害鳥忌避用具は、送電線上におけるセラミックス製風受け部材のこのような揺らぎ動作と放散されたマイナスイオンによってカラス等を忌避することができる。【００１３】  本発明の請求項２に記載の送電線用の害鳥忌避用具は、上記構成におけるクランプ部材が、送電線を受け入れる開口部に連続して形成する内孔を有し、また、ロック機構は、送電線を収納したクランプ部材の内孔を閉じる向きに変形させるねじ締め機構であることを特徴とする。【００１４】  上記構成に係る害鳥忌避用具は、クランプ部材の開口部を介して送電線の中間部を内孔に受入れ、次いでロック機構であるねじ締め機構を操作して送電線を収納した内孔を閉じる簡単な操作内容によって、害鳥忌避用具を姿勢変化しないように送電線に取り付けることができる。【００１５】  本発明の請求項３に記載の送電線用の害鳥忌避用具は、連続して張設された送電線の中間部を把持するクランプ部材と、基端部をクランプ部材に固定する複数本の細線条と、細線条の少なくとも先端部に取り付けるセラミックス製風受け部材とからなり、クランプ部材は、送電線を挟み込む一対の挟持片からなり、一対の挟持片は、一対の挟持片を閉じる向きに付勢するばね部材を介して開閉自在に組み合わされるとともに、ばね部材に抗して開く向きに手動操作可能な操作部を備えることを特徴とする。【００１６】  上記構成に係る害鳥忌避用具は、操作部を手動操作することによって一対の挟持片を開き、開いた挟持片間に送電線を受け入れた後、操作部に対する操作を停止すると、ばね部材の復元力によって一対の挟持片が閉じるので、害鳥忌避用具を工具等を要することなく極めて簡単に送電線に取り付けることができる。【００１���】  本発明の請求項４に記載の送電線用の害鳥忌避用具は、上記構成におけるセラミックス製風受け部材が、シリカを高温焼成してなる微粉末を多孔質の中実形状に成形してなることを特徴とする。【００１８】  上記構成に係る害鳥忌避用具は、セラミックス製風受け部材が、入手が容易でマイナスイオン発生能に優れるシリカの高温焼成微粉末を材料とすることによって、低コストで簡単に製造することができるとともに、セラミックス製風受け部材の成形に際しては、多孔質の中実形状のものとして成形しているので、セラミックス製風受け部材の表面ばかりでなく、内部の材料もマイナスイオンの発生に寄与することができる。したがって、小型であっても十分なマイナスイオンの発生量を確保することができるとともに、揺らぎ動作を実現するための細線条に対する重みとしての働きを高めることができる。【００１９】  本発明の請求項５に記載の送電線用の害鳥忌避用具は、クランプ部材が、内側に絶縁性のクッションライナを備え、クッションライナを介して送電線をクランプすることを特徴とする。【００２０】  上記構成に係る送電線用の害鳥忌避用具は、送電線のクランプ動作に際してクッションライナが変形しながら送電線用に密着するので、送電線の断面形状にかかわらず、確実なクランプ動作が実現されるとともに、害鳥忌避用具が絶縁性であるクッションライナを介して送電線と接触するので、害烏忌避用具を介しての短絡事故や感電事故等を回避することができる。
【発明の効果】
【００２１】  本発明に係る送電線用の害鳥忌避用具は、クランプ部材を介して送電線の任意の位置に任意の姿勢で取り付けることができ、ロック機構またはばね部材によって取り付けた際の姿勢を維持することが可能であり、送電線に取り付けられた害鳥忌避用具におけるセラミックス製風受け部材は、自然風を受けることによって、マイナスイオンを放散しながら細線条をばね要素として所定周期の揺らぎ動作をし、マイナスイオンによる周囲雰囲気の異質化と揺らぎ動作とによって、送電線に対するカラス等の飛来、営巣、過度の接近を忌避することができる。
【発明を実施するための最良の形態】
【００２２】  以下、図面を引用しながら本発明に係る送電線用の害鳥忌避用具の実施の形態を説明する。【００２３】  害鳥忌避用具１０は、クランプ部材１１と、細線条１２を介してクランプ部材１１に取り付ける複数のセラミックス製風受け部材１３…とロック機構１４とからなる（図２，図３）。【００２４】  クランプ部材１１は、軟質の樹脂材料の射出成形品である。このクランプ部材１１、成形された結果としては、リング状を呈する把持リング１１Ａと把持リング１１Ａの両端に成形されるフランジ部１１Ｂ，１１Ｂとからなり、フランジ部１１Ｂの部分で締め合わせて閉じる構成である。把持リング１１Ａ内側には内孔１１Ｊ形成され、フランジ部１１Ｂの部分が内孔の開口部１１Ｆとなる。把持リング１１Ａは、開口部１１Ｆを開いて内孔１１Ｊに送電線５３を受け入れることができる。フランジ部１１Ｂの一方には、金属製のナット１１Ｃが圧入されており、他方のフランジ部１１Ｂを貫通してナット１１Ｃに螺合するロックねじ１１Ｄによって開口部１１Ｆを閉じることができる。つまり、一対のフランジ部１１Ｂとナット１１Ｃとロックねじ１１Ｄは、クランプ部材１１のロック機構１４構成している。【００２５】  クランプ部材１１Ａには、複数本の細線条１２…が植設されており、各細線条１２の先端部には、セラミックス製風受け部材１３が固定されている。【００２６】  複数の細線条１２…は、いずれも高弾性材料から細い線状に成形されている。なお、細線条１２としては、市販されているグラスファイバ線材、カーボングラファイト線材、ピアノ線、硬質ナイロン線材、ばね用ステンレス線、樹脂被覆ワイヤ線等をそのまま利用することができる。本実施の形態の細線条１２は、硬質ナイロン線材であり、把持リング１１Ａに設けた細孔１１Ｌを介して内部で連続する状態で瞬間接着剤を併用して取り付けられている（図３）。このような取付け方は、細線条１２の脱落を防止する上で有効である。【００２７】  各セラミックス製風受け部材１３は、専らデザイン上の観点から球形に形成され、各細線条１２について、その先端に少なくとも１個取り付けられている。セラミックス製風受け部材１３は、シリカを高温焼成してなる微粉末からなる珪素系のものであって、性状的には多孔質の中実形状に成形されている。この種のセラミックスは、公知の如く高いマイナスイオン放射性を有する。セラミックス製風受け部材１３には、細線条１２を挿通するための透孔が設けられ、この透孔に細線条１２を挿通して接着剤を利用して固定される。【００２８】  なお、セラミックス製風受け部材１３は、十分なマイナスイオン放射能を有する限り、純粋なセラミックスのみである必要はなく、シリカの微粉末を適当なバインダの存在下において型込め成形し、または造粒成形することによって任意形状に成形すれば足りる。ただし、セラミックス製風受け部材１３の重さは、これを支持するばね要素としての細線条１２の長さおよび太さとの兼ね合いで、振幅の大きな揺らぎ動作が長く継続する重さに設定されている。【００２９】  すなわち、本発明の害鳥忌避用具１０は、自然風を受けて揺らぎ動作をすることが一つのポイントである。この際、細線条１２の長さを一定とした場合におい��は、セラミックス製風受け部材１３の重量が大きくするに従って揺らぎ動作の周期が長くなり、また、セラミックス製風受け部材１３の重量を一定とした場合においては、細線条１２の長さを長くするに従って揺らぎ動作の周期が長くなる関係にある。ただし、揺らぎ動作の周期を長く設定し過ぎると振幅が継続しなくなる。なお、各細線条１２には、複数のセラミックス製風受け部材１３を取り付けることもできる。【００３０】  害鳥忌避用具１０におけるクランプ部材１１には、絶縁性のクッションライナ１１Ｋを付設することができる（図４）。クッションライナ１１Ｋは、発泡合成ゴムからなり、把持リング１１Ａの内側に強力な両面テープを用いて貼着されている。発泡合成ゴムは、大きな弾性変形範囲を有することにより、把持リング１１Ａ内にクランプする送電線５３の太さや形状の差違を吸収し、把持リング１１Ａのサイズに対する送電線５３の適合範囲を大幅に拡大するとともに、送電線５３に対する取付け作業時および取付け後の感電事故や短絡事故を防止する機能も発揮する。【００３１】  各細線条１２に取り付けるセラミックス製風受け部材１３の形状は、任意である（図５）。多孔質に形成されるセラミックス製風受け部材１３のマイナスイオン放射性能は、セラミックスの使用量によって略決定し、形状には依存しないからである。セラミックス製風受け部材１３の形状は、専らデザイン上の観点と、風を受ける程度を考慮して決定すればよい。図５に示すセラミックス製風受け部材１３は、軍配形に形成されている。【００３２】  また、クランプ部材１１に対する細線条１２の取り付け方も、本発明を拘束しない（図５）。細線条１２には、低コストで抜け取れないように取り付けることが求められるのみである。同図に示す細線条１２は、クランプ部材１１の把持リング１１Ａに膨出部１１Ｍを設けてこの部分を貫通させて取り付けられている。この場合、膨出部１１Ｍに埋め込みねじを入れて直交方向から細線条１２を拘束するようにしてもよい。【００３３】  クランプ部材１１の把持リング１１Ａにおける開口部１１Ｆは、一対のフランジ部１１Ｂ，１１Ｂ間に閉動作幅Ｄ１を設定した常開状態とすることができる（図５）。開口部１１Ｆを常開状態とすることによって把持リング１１Ａの内孔１１Ｊに送電線を受け入れる際の把持リング１１Ａの変形量が少なくて済むので、取付け作業を容易にすることができるとともに、ロックねじ１１Ｄに対する所定の締付けトルクが得られた時点で、なお閉動作幅Ｄ１が残存することによって、取付け作業の確実性を保障することができる。【００３４】  さらに、上記形態のクランプ部材１１に絶縁性のクッションライナ１１Ｋを付設することにより（図６）、より多様な形態の送電線５３に適合させることができるとともに、クッションライナ１１Ｋの摩擦力によって送電線５３に対する害鳥忌避用具１０の姿勢維持力を高めることができる。【００３５】  本発明に係る送電線用の害鳥忌避用具１０は、次のような形態で実施することもできる（図７）。【００３６】  害鳥忌避用具１０は、連続して張設された送電線５３の中間部を把持するクランプ部材２１と、基端部をクランプ部材２１の操作部２１Ｅに固定する複数本の細線条１２と、細線条の少なくとも先端部に取り付けるセラミックス製風受け部材１３とからなり（図７）、上記実施の形態とは、クランプ部材２１の形態が大きく異なる。また、ロック機構１４は、必ずしも必要とはされない。【００３７】  クランプ部材２１は、対称形状の一対の挟持片２１Ａ，２１Ａを支持軸２１Ｃによって開閉自在に組み合わせるとともに、支持軸２１Ｃに取り付けるばね部材２１Ｄによって一対の挟持片２１Ａ，２１Ａを閉じる向きに付勢してなる。閉じる向きに付勢された一対の挟持片２１Ａ，２１Ａの先端部の内側には、送電線５３を位置決めするための半円形の切欠き部２１Ｈ，２１Ｈが形成される一方、支持軸２１Ｃの反対側に位置する一対の挟持片２１Ａ，２１Ａの端部には、開閉操作用の操作部２１Ｅ，２１Ｅが取り付けられている。一対の挟持片２１Ａ，２１Ａの先端部は、操作部２１Ｅ，２１Ｅを接近させる向きに操作することによってばね部材２１Ｄに抗して開き、両者間に送電線５３を受け入れて拘束することができる。【００３８】  細線条１２は、各操作部２１Ｅに抜取れないように植設され、セラミックス製風受け部材１３は、細線条１２を介して各操作部２１Ｅに対して３個取り付けれている。この形態の害鳥忌避用具１０において、クランプ部材２１が送電線５３を拘束する力は、ばね部材２１Ｄによって決定しており、したがって、ばね部材２１Ｄを交換または併設することによって簡単に設定することができる。なお、図７では、害鳥忌避用具１０を送電線５３に対して正立姿勢に取り付けた状態を示しているが、姿勢の安定性の点からは、倒立姿勢で取り付けることが望ましい。【００３９】  クランプ部材２１を構成する一対の挟持片２１Ａ，２１Ａとばね部材２１Ｄとは、１枚のばね板から一体成形することもできる（図８）。一対の挟持片２１Ａ，２１Ａは、先端部に向けて接近する傾斜姿勢でばね部材２１Ｄを介して連続する状態で左右対称形状に形成されている。ばね部材２１Ｄは、弾性変形範囲を大きくするために屈曲成形され、一対の挟持片２１Ａ，２１Ａの先端部には、送電線５３を把持するため外膨れに形成した把持部２１Ｆ，２１Ｆが設けられている。各把持部の内側には、ゴム板からなるクッションライナ１１Ｋが貼着されている。【００４０】  操作部２１Ｅ，２１Ｅは、一対の挟持片２１Ａ，２１Ａの外側にリベット締めされている。この際、操作部２１Ｅの上端がばね部材２１Ｄの上方に位置することが一対の挟持片２１Ａ，２１Ａを開く操作をするために必要である。各操作部２１Ｅには、上下方向に振り分けて植設する細線条２１を介して繭玉形のセラミックス製風受け部材１３取り付けられている。この形態のクランプ部材２１は、線径の細い送電線５３に対しても安定に取り付けることができる特徴がある。【００４１】  上記いずれの実施の形態に示す害鳥忌避用具１０においても、簡単に送電線５３に取り付けることができる（図１）。同図に示すのは、電柱５０の先端部寄りにステー５１が横設され、ステー５１に立設された３基の碍子５２によってそれぞれ送電線５３が支持されている状況である。これは、単相３線式送電線または３相動力用送電線に見られる状況である。各送電線５３には、碍子５２を挟んで２個の害鳥忌避用具��０がクランプ部材１１を利用して設置されている。カラス等は、送電線５３が揺れ難い碍子５２の近傍を選定して飛来するためである。【００４２】  設置された害鳥忌避用具１０…は、風を受けて揺らぎ動作をしながらマイナスイオンを放散する。カラス等は、この異様な光景と雰囲気とにより電柱５０付近に接近することができないという仕組みである。なお、害鳥忌避用具１０は、無風状態であっても近くを車が走行することによっても揺らぎ動作をする。これは、車の走行振動が、電柱５０の先端側で増幅して現れるためであると考えられる。【００４３】  本発明の害鳥忌避用具１０は、送電線用途を目的として開発されたものであるが、その他の通信配線は勿論、カラス等の飛来が顕著である収穫期間近の果樹、特に大きさがカラス等にとって適当である甘味成分の多い、サクランボ、びわ、柿の小枝に取付けることによって、これらの果樹を防鳥ネットで覆う多大な手数と費用を省略することができる。害鳥忌避用具１０は、細長い取付け対象に簡単に取り付けることができる構造を有するからである。
【図面の簡単な説明】
【００４４】
【図１】  本発明の害鳥忌避用具の使用例を示す斜視図である。
【図２】  本発明の害鳥忌避用具の実施の形態を示す斜視図である。
【図３】  上記実施の形態における害鳥忌避用具の断面図である。
【図４】  本発明の害鳥忌避用具の他の実施の形態を示す断面図である。
【図５】  本発明の害鳥忌避用具の他の実施の形態を示す断面図である。
【図６】  本発明の害鳥忌避用具の他の実施の形態を示す断面図である。
【図７】  本発明の害鳥忌避用具の他の実施の形態を示す斜視図である。
【図８】  本発明の害鳥忌避用具の他の実施の形態を示す正面図である。
【符号の説明】
【００４５】１０      害鳥忌避用具
１１      クランプ部材
１１Ｆ    開口部
１１Ｊ    内孔
１１Ｋ    クッションライナ
１２      細線条
１３      セラミックス製風受け部材
１４      ロック機構
２１      クランプ部材
２１Ａ    挟持片
２１Ｄ    ばね部材
２１Ｅ    操作部
５３      送電線
【図１】
2006166887.tif 000003
【図２】
2006166887.tif 000004
【図３】
2006166887.tif 000005
【図４】
2006166887.tif 000006
【図５】
2006166887.tif 000007
【図６】
2006166887.tif 000008
【図７】
2006166887.tif 000009
【図８】
2006166887.tif 000010